(57)【特許請求の範囲】
【請求項１】
内周面に雌ねじを設けた外筒体と、この外筒体内に備えられ上記雌ねじに螺合する雄ねじを外周面に設けた内筒体とからなるネジ式弁筺の回り止め装置であって、上記外筒体にはこの内周面に上下方向に凹設させた掛止凹部を備え、上記内筒体にはこの壁面に上記掛止凹部に対向するように設けた開口と、上記掛止凹部に掛脱自在に取り付けられる掛止体と、上記開口に設けられ掛止体をその支持部において支持する支持体とを備え、上記支持体と掛止体との間に、開口の左右両側縁の内周側において掛止体を支持体に対して上下動と回動可能に支持する支軸を有する支持部と長溝を有する支持受部とからなる支持機構を形成し、また、支持体の上部に掛止受部を形成し、上記掛止体には、この起立昇降動で支持体の掛止受部に掛ける掛止片と、この掛止片の掛止受部への掛止時に上記掛止凹部に掛合する掛合部とを備えたことを特徴とするネジ式弁筺の回り止め装置。
【請求項２】
上記掛止体には、内筒体の内面側から外筒体の内周面に向けた固定ボルトを貫通螺合させてなることを特徴とする請求項１記載のネジ式弁筺の回り止め装置。
【発明の詳細な説明】
【０００１】
【発明の属する技術分野】
本発明は、外筒体の内側に内筒体を螺合させ、この内筒体の回転により内筒体の路面に対する高さ調節を可能としたネジ式弁筺の回り止め装置に関する。
【０００２】
【従来の技術】
従来、地中に埋設された水道管等の仕切弁には、この上部に仕切弁の弁筺が設置されている。この弁筺は、その上部蓋が路面に面一に露出していて、上部蓋を作業者が開口し、地中にある仕切弁をハンドルで開閉操作するためのものである。
【０００３】
図１２に示すように、上記弁筺１０は、仕切弁１の上部への施工時及び路面３の沈下による補修工事時において、その上部蓋５が路面に面一となるように、外筒体７の内側に設けた雌ねじ７Ａに、上部蓋５を有する内筒体９の雄ねじ９Ａを螺合させている。この内筒体９の回転により、上部蓋５を路面に対する高さ調節するものである。更に、施工後にアスファルト舗装の路面３に露出した弁筺１０の内筒体９は、その上部蓋５が車両のタイヤに踏み付けられたり、路面３の沈下等路面状況の変化により、回ってしまう。そこで、上記内筒体９が回らないように、固定された外筒体７に対して、この内側に螺合している内筒体９に回り止め機構１３を設置させたものが提案されている。
【０００４】
上記内筒体９の回り止め機構１３は、内筒体９を貫通しその先端部１５Ａを外筒体７の内周面７Ｂに当接するボルト１５を複数箇所備えたものである。このボルト１５の先端部１５Ａを、外筒体７の雌ねじ７Ａ内に押し付けて内筒体９の回転を阻止する。これで、車両が弁筺１０の上部蓋５を踏み付ける際の振動を受けても、内筒体９の緩みや上下動を防止しようとするものである。
【０００５】
上記回り止め機構１３は、ボルト１５で構成されているから、長期間の間に車両から受ける振動で、ボルトが緩んで回り止め機能を果たさなくなったり、ボルトが内筒体から外れて落下する可能性がある。また、弁筺１０の上下調整時に、緩めたボルト１５を内筒体９から外して落下させてしまうという問題点もある。
【０００６】
【発明が解決しようとする課題】
本発明は、上記従来のネジ式弁筺の回り止め機構が持つ問題点に鑑みてなされたもので、ボルト等の固定部材の緩みや落下のないネジ式弁筺の回り止め装置を提供することを目的とする。
【０００７】
【課題を解決するための手段】
本発明は、上記課題を達成すべくなされたもので請求項１のネジ式弁筺の回り止め装置は、内周面に雌ねじを設けた外筒体と、この外筒体内に備えられ上記雌ねじに螺合する雄ねじを外周面に設けた内筒体とからなるネジ式弁筺の回り止め装置であって、上記外筒体にはこの内周面に上下方向に凹設させた掛止凹部を備え、上記内筒体にはこの壁面に上記掛止凹部に対向するように設けた開口と、上記掛止凹部に掛脱自在に取り付けられる掛止体と、上記開口に設けられ掛止体をその支持部において支持する支持体とを備え、上記支持体と掛止体との間に、開口の左右両側縁の内周側において掛止体を支持体に対して上下動と回動可能に支持する支軸を有する支持部と長溝を有する支持受部とからなる支持機構を形成し、また、支持体の上部に掛止受部を形成し、上記掛止体には、この起立昇降動で支持体の掛止受部に掛ける掛止片と、この掛止片の掛止受部への掛止時に上記掛止凹部に掛合する掛合部とを備えたことを特徴とするものである。
【０００８】
また、請求項２のネジ式弁筺の回り止め装置は、請求項１のネジ式弁筺の回り止め装置において、上記掛止体には、内筒体の内面側から外筒体の内周面に向けた固定ボルトを貫通螺合させてなることを特徴とするものである。
【０００９】
【作用】
本発明に係る請求項１のネジ式弁筺の回り止め装置では、外筒体の内周面に上下方向に凹設した掛止凹部を備えており、内筒体を回転させてその高さを調節しながら、上記外筒体の掛止凹部に内筒体の壁面に設けた開口が対向するように位置させる。
【００１０】
しかして、上記回り止め装置のロック作業は、下記の手順で行なわれる。先ず、倒伏状態に有る掛止体は、この上昇動と回動に続く下降動による起立操作によって、支持体の掛止受部に掛止体の掛止片を掛止される。この時、上記外筒体の掛止凹部に内筒体の支持体に取り付けた掛止体の掛合部が掛合し、内筒体の回転を拘束する。この掛合により、内筒体は外筒体に掛止体を介在して固定され、その回り止め機能が発揮される。
【００１１】
上記回り止め装置のアンロック作業は、上記とは逆手順で行なわれる。先ず、起立した掛止時において、掛止体は、これを上昇動と内径側への回動に続く下降動の操作により、掛止片が支持体の掛止受部から脱出し倒伏状態となる。これと同時に、外筒体の掛止凹部から掛止体の掛合部が外れ、内筒体の回転が可能となる。
【００１２】
上記のように、掛止体は、この掛止片を支持体の掛止受部に掛止したり・離脱させたりするだけの操作により、外筒体に対する内筒体の回り止め機能のロック・アンロックが簡単に切替えられる。しかも、掛止体は支持体の支持受部に支持部を常に支持されているから、離脱時に分離して落下する事を完全に防止できる。また、回り止め装置は、一組だけをネジ式弁筺に設置するだけで、内筒体の回り止め機能を十分に発揮することができる。
【００１３】
また、請求項２のネジ式弁筺の回り止め装置では、掛止体は、この掛止片を支持体の掛止受部に掛止した回り止めの起立状態時に、掛止体に貫通螺合した固定ボルトを内筒体の内面側から外筒体の内周面に向けて螺合させて固着することができる。
【００１４】
これにより、掛止体は、掛止受部に掛止片を掛止するとき、その掛合部が外筒体の掛止凹部との間にガタツキを起こすことなく一体的に固着されるから、その回り止め機能が完璧となる。
【００１５】
【発明の実施の形態】
以下、図を参照して本発明に係るネジ式弁筺の回り止め装置の第１実施形態について説明する。図１と図２に示すように、ネジ式弁筺Ｂは、内周面２０Ａに雌ねじ２０Ｂを形成した外筒体２０と、この外筒体内に備えられ雌ねじ２０Ｂに螺合する雄ねじ３０Ｂを外周面３０Ａに設けた内筒体３０とからなる。このネジ式弁筺Ｂは、仕切弁１の上部への施工時や路面３の沈下による補修工事時等に、その上部蓋５が路面に面一となるように、上部蓋５を有する内筒体３０を回転させ、路面に対する高さ調節が行なわれる。
【００１６】
ネジ式弁筺の回り止め装置１００は、図３〜図８に示すように、上記ネジ式弁筺Ｂにおける内筒体３０と外筒体２０との間（接合面）に装備され、内筒体３０の自由回転を拘束させるロック機能を持つものである。
【００１７】
図３において、上記回り止め装置１００は、外筒体２０の内周面２０Ａにおける一部に上下方向に凹設した掛止凹部２０Ｅを備えている。この掛止凹部２０Ｅは、内周面２０Ａにおける数カ所（図示では六カ所）に等間隔に設けられている。そして、上記掛止凹部２０Ｅに対向するように、上記内筒体３０の壁面一部に、開口３０Ｄが設けられている。これで、内筒体３０を適量回転させると、開口３０Ｄは外筒体２０における内周面２０Ａ上の何れか１つの掛止凹部２０Ｅに対向させることができる。
【００１８】
上記開口３０Ｄにおける左右両側縁には、内筒体３０の内周側に突設した支持体５５を備えている。上記支持体５５は、開口３０Ｄの左右縁を形成している内筒体３０の垂直凹壁３０Ｅ，３０Ｅと、この垂直凹壁３０Ｅの各外周面に、縦長の支持片５７，５７を両側に連結して形成されている。上記支持片５７は、垂直凹壁３０Ｅに対して内周側からボルト５９を貫通させ、ナット８０を外周側から螺入して螺着されている。上記支持片５７，５７の各下部には、対面し合う長溝４０Ａ，４０Ａを開けた支持受部４０が形成されている。また、この支持片５７，５７の各上部には底つきの窪部Ｓを形成し、垂直凹壁３０Ｅとの間に掛止受部５０が形成されている。
【００１９】
上記支持受部４０，４０にある長溝４０Ａ，４０Ａには、略Ｌ字型の掛止体６０がその支持部６０Ａである支軸６０Ｂ, ６０Ｂを上下動と回動可能に支持することにより、掛止体６０を、支持受部４０と支持部６０Ａとからなる支持機構Ｋで支持体５５に上下動と回動可能に支持している。上記掛止体６０は、図３に示すように、折曲した支持部６０Ａに一対の支軸６０Ｂが設けられている。更に、掛止体６０の一方の端部（上部）には支持片５７，５７の掛止受部５０に掛止される掛止片６０Ｃを設け、掛止体６０の一方の端部（下部）には上記外筒体２０の掛止凹部２０Ｅに掛合する掛合部（掛止体の一部）６０Ｄを設けている。そして、上記掛止体６０の中央部に設けた雌ねじ６０Ｅには、内筒体３０の内面側から外筒体２０の掛止凹部２０Ｅに向けた固定ボルト７０を貫通螺合している。
【００２０】
しかして、上記掛止体６０は、支持受部４０，４０に支持部６０Ａを支持されている。この状態において、上記掛止体６０は、図３に２点鎖線で示す倒伏状態から、図６と図７に示すように、この掛止体６０を持ち上げた状態で掛止片６０Ｃを支持体５５の掛止受部５０に掛止することができる。この後、掛止体６０から手を離しても、自重で掛止片６０Ｃが掛止受部５０に掛止されて、起立状態を維持することができる。この時、上記外筒体２０の掛止凹部２０Ｅに掛合部６０Ｄが掛合する。そして、上記内筒体３０の開口３０Ｄに配置した掛止体６０は、外筒体２０の掛止凹部２０Ｅに掛合部６０Ｄを掛合されるとともに、固定ボルト７０を締め付けることにより、内筒体３０を外筒体２０に強固に固着する。
【００２１】
尚、上記支持体５５における支持受部４０の長溝４０Ａと、掛止体６０の支持部６０Ａとなる支軸６０Ｂとの位置関係を逆としても良い。即ち、支持受部４０に設けた支軸と、掛止体６０の支持部６０Ａに設けた長溝としても良い。また、上記長溝４０Ａの上下長さは、掛止片６０Ｃが掛止受部５０の上方を乗り越えて起立と倒伏できる寸法であればよい。
【００２２】
本発明の第１実施形態のネジ式弁筺の回り止め装置１００は、上記のように構成されており、以下の操作手順にて、外筒体２０に対する内筒体３０の回り止め機能をロック・アンロックとする。その操作手順を図８に示す。
【００２３】
先ず、図８（１）のように、掛止体６０は、支持体５５における支持受部４０の長溝４０Ａに支持部６０Ａとなる支軸６０Ｂを軸支されて倒伏状態となっている。ここで、内筒体３０は外筒体２０の内側で回転されて高さ調節されるとともに、内筒体３０の開口３０Ｄを外筒体２０の掛止凹部２０Ｅに対向させる。続いて、倒伏状態の掛止体６０は、図８（２）のように、上方へ持ち上げながら起立させ、上端の掛止片６０Ｃを支持体５５における掛止受部５０の上方に位置させる。次に、図８（３）のように、上端の掛止片６０Ｃを掛止受部５０内に下げて掛止する。この掛止時、掛止体６０の掛合部６０Ｄが外筒体の掛止凹部２０Ｅに掛合する。この状態にて、内筒体３０は外筒体２０に対してその回り止め機能を発揮する。
【００２４】
そして、図８（４）のように、固定ボルト７０を外筒体２０側に締め付け、固定ボルト７０の先端を外筒体の掛止凹部２０Ｅに押し付ける。これで、掛止体６０は、その掛合部６０Ｄを外筒体２０の掛止凹部２０Ｅに強固に固着され、内筒体３０と外筒体２０とのガタツキが解消される。
【００２５】
次に、上記回り止め装置１００によるアンロック作業は下記のようにして行われる。上記ロック手順とは逆に、先ず、固定ボルト７０を緩める。続いて、掛止体６０は、掛止受部５０に掛止している掛止片６０Ｃを離反すべく、上方へ持ち上げながら掛止片６０Ｃを内筒体３０の中心側へ旋回・倒伏させる。これで、掛止体６０は、その掛止片６０Ｃが掛止受部５０から離脱する。これと同時に、掛止体６０の掛合部６０Ｄが外筒体２０の掛止凹部２０Ｅから外れ、内筒体３０は自由に回転できる状態となる。
【００２６】
上記のように、掛止体６０は、掛止片６０Ｃを支持体５５の上方に設けた掛止受部５０に掛止したり・離脱する操作により、外筒体２０に対する内筒体３０の回り止め機能が完全に果たされるとともに、そのロック・アンロックが簡単に切替えられる。更に、固定ボルト７０の締付け・緩め操作により、掛止体６０は、その掛合部６０Ｄを外筒体２０の掛止凹部２０Ｅに強固に固着され、内筒体３０と外筒体２０とのガタツキが解消される。しかも、掛止体６０は、この支持部６０Ａとなる支軸６０Ｂが支持体５５の下方に設けた支持受部４０の長溝４０Ａに常に支持されているから、離脱時に落下する事を完全に防止できる。また、回り止め装置１００は、一組をネジ式弁筺に設置するだけで、内筒体３０の回り止め機能を完全に達成することができる。
【００２７】
本発明は上記第１実施形態に限定されない。例えば、図９と図１０に示す第２実施形態のネジ式弁筺の回り止め装置２００としても良い。このネジ式弁筺の回り止め装置２００は、上記第１実施形態の支持体５５において、支持受部４０と掛止受部５０とを分離させ、しかも固定ボルト７０を省略し、その構成を簡素化したものである。
【００２８】
即ち、支持体５５´における掛止受部５０´は、Ｌ型形状をなし内筒体３０の内壁面に各々付設させている。また、支持受部４０´は、Ｌ型形状の本体における垂直部４０Ｂ´に長溝４０Ａを開け、水平部４０Ｃ´を内筒体３０の内壁面に各々付設させている。これで、掛止体６０は、上記支持受部４０´の長溝４０Ａに支軸６０Ｂを支持し、掛止片６０Ｃを掛止受部５０´に掛止される。その他の構成については、上記第１実施形態とほぼ同一につき、同一符号を付して説明を省略する。
【００２９】
上記ネジ式弁筺の回り止め装置２００によると、第１実施形態とほぼ同様の操作手順により、外筒体２０に対する内筒体３０の回り止め機能をロック・アンロックとすることができる。その操作手順は、固定ボルト７０の締付け・緩め操作が無いこと以外は、図８に示すとおりであるから、その説明を省略する。
【００３０】
上記のように、ネジ式弁筺の回り止め装置２００によると、掛止体６０は、掛止片６０Ｃを支持体５５´の掛止受部５０´に掛止したり・離脱するだけの操作により、外筒体２０に対する内筒体３０の回り止め機能を果たすことができるとともに、そのロック・アンロックが簡単に切替えられる。しかも、掛止体６０は、支持部６０Ａとなる支軸６０Ｂを支持体５５´の支持受部４０´に設けた長溝４０Ａに常に支持されているから、離脱時に落下する事を完全に防止できる。
【００３１】
また、上記ネジ式弁筺の回り止め装置２００は、その構成を簡素化できて製造コストの削減が図られる。
【００３２】
更に、図１１に示すように、本発明の第３実施形態となるネジ式弁筺の回り止め装置３００としても良い。この回り止め装置３００は、上記第２実施形態のネジ式弁筺の回り止め装置２００において、上記第１実施形態のネジ式弁筺の回り止め装置１００と同様に、固定ボルト７０を、内筒体３０の内面側から外筒体２０の内周面に向けて貫通螺合させる構成を付加させたものである。
【００３３】
上記ネジ式弁筺の回り止め装置３００によると、上記第１実施形態と全く同一の操作手順により内筒体がロック・アンロックされる。そして、これによってもたらされる作用・効果も上記第１実施形態と同一となるとともに、上記第２実施形態と同様に、各部を構成する部品点数が少なくなる。
【００３４】
本発明は、上記各実施形態に限定されるものではなく、その要旨の範囲内において適宜変更することかできる。例えば、第１実施形態において、第２実施形態のように、固定ボルト７０を省略したネジ式弁筺の回り止め装置としても良い。この実施形態においても、第２実施形態と同様に簡単な操作性による作用効果が発揮される。
【００３５】
【発明の効果】
本発明の請求項１のネジ式弁筺の回り止め装置によれば、掛止体は、その支持部が上下動及び回動可能に支持体の支持受部に常に支持されているから、掛止体は、この掛止片を持ち上げて支持体の掛止受部に掛止したり・離脱するだけの操作により確実に回り止め機能を発揮できるとともに、外筒体に対する内筒体の回り止め機能のロック・アンロックが簡単に切替え操作できる。しかも、掛止体を支持体の掛止受部から離脱時に、落下する事が完全に防止できる。
【００３６】
また、請求項２のネジ式弁筺の回り止め装置によれば、掛止体の掛止片を支持体の掛止受部に掛止して回り止めを機能させる時、掛止体に貫通螺合した固定ボルトを内筒体の内面側から外筒体の内周面に向けて螺合・固着できるから、掛止受部に掛止した掛止体は、掛合部を外筒体の掛止凹部との間にガタツキを起こすことなく確実に固着でき、その回り止め機能も完璧となる。
【図面の簡単な説明】
【図１】  本発明の第１実施形態を示し、ネジ式弁筺の全体断面図である。
【図２】  本発明の第１実施形態を示し、弁筺とこの回り止め装置の断面図である。
【図３】  本発明の第１実施形態を示し、弁筺とこの回り止め装置の展開斜視図である。
【図４】  本発明の第１実施形態を示し、回り止め装置の平面図である。
【図５】  本発明の第１実施形態を示し、回り止め装置の部分図である。
【図６】  本発明の第１実施形態を示し、回り止め装置の縦断面図である。
【図７】  本発明の第１実施形態を示し、回り止め装置の正面図である。
【図８】  本発明の第１実施形態を示し、回り止め装置の操作手順の作用図である。
【図９】  本発明の第２実施形態を示し、回り止め装置の斜視図である。
【図１０】  本発明の第２実施形態を示し、回り止め装置の断面図である。
【図１１】  本発明の第３実施形態を示し、回り止め装置の一部切り欠き断面図である。
【図１２】  従来例のネジ式弁筺の回り止め装置の断面図である。
【符号の説明】
１                      仕切弁
３                      路面
５                      上部蓋
２０                    外筒体
２０Ａ                  内周面
２０Ｂ                  雌ねじ
２０Ｅ                  掛止凹部
３０                    内筒体
３０Ａ                  外周面
３０Ｂ                  雄ねじ
３０Ｄ                  開口
４０，４０´            支持受部
４０Ａ                  長溝
５０，５０´            掛止受部
５５，５５´            支持体
５９                    ボルト
６０                    掛止体
６０Ａ                  支持部
６０Ｂ                  支軸
６０Ｃ                  掛止片
６０Ｄ                  掛合部（掛止体の一部）
７０                    固定ボルト
８０                    ナット
Ｂ                      ネジ式弁筺
１００，２００，３００    ネジ式弁筺の回り止め装置
【図１】
0004405046.tif 000002
【図２】
0004405046.tif 000003
【図３】
0004405046.tif 000004
【図４】
0004405046.tif 000005
【図５】
0004405046.tif 000006
【図６】
0004405046.tif 000007
【図７】
0004405046.tif 000008
【図８】
0004405046.tif 000009
【図９】
0004405046.tif 000010
【図１０】
0004405046.tif 000011
【図１１】
0004405046.tif 000012
【図１２】
0004405046.tif 000013